(57)【要約】  アンテナ部と、前記アンテナ部に接合され、前記アンテナ部を介して通信を行う機能を持っているＩＣチップとを備え、蓋付き容器に取り付けられるＩＣタグ付きシールであって、前記ＩＣチップと接合され、前記蓋付き容器の蓋の上面に貼り付けられる一筆書き線部を備え、前記ＩＣチップは、前記一筆書き線部の断線を検出していることを特徴とするＩＣタグ付きシール。
2018532179.tif 000002
【特許請求の範囲】
【請求項１】
アンテナ部と、前記アンテナ部に接合され、前記アンテナ部を介して通信を行う機能を持っているＩＣチップとを備え、蓋付き容器に取り付けられるＩＣタグ付きシールであって、
前記ＩＣチップと接合され、前記蓋付き容器の蓋の上面に貼り付けられる一筆書き線部を備え、
前記ＩＣチップは、前記一筆書き線部の断線を検出していることを特徴とするＩＣタグ付きシール。
【請求項２】
請求項１に記載のＩＣタグ付きシールにおいて、
前記一筆書き線部は、メアンダ状のラインから構成され、
隣り合う２本の前記ラインの幅と、前記ラインの間の距離との合計は、０.２２５ｍｍ〜３ｍｍであることを特徴とするＩＣタグ付きシール。
【請求項３】
請求項１に記載のＩＣタグ付きシールにおいて、
前記一筆書き線部は、螺旋状のラインから構成され、
隣り合う２本の前記ラインの幅と、前記ラインの間の距離との合計は、０.２２５ｍｍ〜３ｍｍであることを特徴とするＩＣタグ付きシール。
【請求項４】
請求項１または２に記載のＩＣタグ付きシールにおいて、
前記一筆書き線部は、１本のラインがＺ字形に曲げられた回路パターンにより構成されていることを特徴とするＩＣタグ付きシール。
【請求項５】
請求項１または２に記載のＩＣタグ付きシールにおいて、
前記一筆書き線部は、２本の巻回ラインが同方向に平行に巻回し、それらの巻回軸側の一端が接続ラインにて接続された回路パターンにより構成されていることを特徴とするＩＣタグ付きシール。
【請求項６】
請求項１または２に記載のＩＣタグ付きシールにおいて、
前記一筆書き線部は、２本の巻回ラインが同方向に平行に巻回し、それらの巻回軸側の一端が接続ラインにて接続された回路パターンを、２個接続することにより構成されていることを特徴とするＩＣタグ付きシール。
【請求項７】
請求項１または３に記載のＩＣタグ付きシールにおいて、
前記一筆書き線部は、１本の巻回ラインが両面単層基板の表裏面に跨って螺旋状に巻回された回路パターンにより構成されていることを特徴とするＩＣタグ付きシール。
【請求項８】
請求項１または３に記載のＩＣタグ付きシールにおいて、
前記一筆書き線部は、１本の巻回ラインが多層基板の異なる層に跨って螺旋状に巻回された回路パターンにより構成されていることを特徴とするＩＣタグ付きシール。
【請求項９】
請求項１または３に記載のＩＣタグ付きシールにおいて、
前記一筆書き線部は、１本の巻回ラインが片面単層基板の一面で螺旋状に巻回された回路パターンにより構成され、
前記巻回ラインの螺旋部の内周端部から引き出された内周引き出し線と前記螺旋部との間には、絶縁層が配置されていることを特徴とするＩＣタグ付きシール。
【請求項１０】
請求項１乃至請求項３のいずれか１項に記載のＩＣタグ付きシールにおいて、
前記一筆書き線部は、前記蓋の上面の、少なくとも前記蓋付き容器の容器口部の内側に対応する部分を覆いかぶさるように貼り付けられていることを特徴とするＩＣタグ付きシール。
【請求項１１】
請求項１０に記載のＩＣタグ付きシールにおいて、
前記一筆書き線部は、前記蓋の上面の全面を覆いかぶさるように貼り付けられていることを特徴とするＩＣタグ付きシール。
【請求項１２】
請求項１乃至請求項３のいずれか１項に記載のＩＣタグ付きシールにおいて、
前記一筆書き線部は、前記アンテナ部の一部であり、
前記ＩＣチップは、前記アンテナ部を介して通信できるかどうかに基づいて、前記一筆書き線部の断線を検出していることを特徴とするＩＣタグ付きシール。
【請求項１３】
請求項１乃至請求項１２のいずれか１項に記載のＩＣタグ付きシールが貼り付けられた蓋付き容器。
【発明の詳細な説明】
【技術分野】
【０００１】
本発明は、ＩＣタグ付きシールに関し、特に、コルク付酒瓶などの蓋付き容器の中身を偽物と入れ替えることを防止できるＩＣタグ付きシールに関するものである。
【背景技術】
【０００２】
現在、世界的に例えばお酒などの物品管理、物流管理、真贋判定へのニーズが高まっている。その物品管理、物流管理、真贋判定などに使われているＩＣタグとして、リーダライタと非接触方式で通信し、リーダライタとの間で情報を伝達するＲＦＩＤタグが知られている。ＲＦＩＤタグは、無線信号を処理するためのＲＦＩＣチップと、無線信号を送受信するためのアンテナとで構成され、ＲＦＩＤタグのアンテナとリーダライタのアンテナとの間で、磁界や電波を介して、所定の情報が高周波信号として送受信される。
【０００３】
ところで、酒瓶の不正開封や、ＩＣタグの再利用を防止するために、酒瓶開封時にＩＣタグを破壊する必要がある。
上記酒瓶開封時にＩＣタグを破壊するための技術として、例えば特許文献１には、アンテナを金属蓋と容器本体との両方に跨るようにして取り付け、蓋開封時にアンテナを破壊して、アンテナが壊れることで金属蓋の開封を検知するＩＣタグ付きシール及びその貼り付け方法が開示されている。蓋開封時にアンテナを破壊しやすくために、特許文献１のＩＣタグ付きシールは、アンテナのインピーダンスマッチング調整用スリット（もしくはループ回路）を切るための脆性加工を施すように構成されている。
【先行技術文献】
【特許文献】
【０００４】
【特許文献１】ＷＯ２００６/０１６５５９号公報
【発明の概要】
【発明が解決しようとする課題】
【０００５】
しかしながら、例えば、ワインボトル等の蓋付き容器の蓋は、コルクでできている場合がある。また、高級ビンテージワイン向けに、コルクを抜かないで中身のワインを取り出すことができる道具があり、この道具を悪用して偽物のワインと入れ替えてしまう事案が発生している。
【０００６】
一方、例えば、特許文献１に記載のように、ＩＣタグ付きシールを、アンテナを蓋と容器本体との両方に跨るようにしてワインボトルの側面に取り付けても、蓋の上面から針などの道具が挿された場合にアンテナが壊れないため、上記道具を悪用して中身を偽物と入れ替えることを防止することができない。
【０００７】
本発明は、上記課題に鑑みてなされたものであり、蓋付き容器の蓋の上面に細い道具を挿したことを検知し、不正に中身を入れ替えることを防止することができるＩＣタグ付きシールを提供することを目的とする。
【課題を解決するための手段】
【０００８】
前記課題を解決するために、本発明に係るＩＣタグ付きシールは、アンテナ部と、前記アンテナ部に接合され、前記アンテナ部を介して通信を行う機能を持っているＩＣチップとを備え、蓋付き容器に取り付けられるＩＣタグ付きシールであって、前記ＩＣチップと接合され、前記蓋付き容器の蓋の上面に貼り付けられる一筆書き線部を備え、前記ＩＣチップは、前記一筆書き線部の断線を検出していることを特徴としている。
【発明の効果】
【０００９】
本発明によれば、蓋付き容器はコルクなどの蓋がある状態で、蓋の上面から針などの道具を挿して中身を抜き出そうとする際に、一筆書き線部が切断され、ＩＣチップにより断線が検知されることができるため、不正に中身を入れ替えることを確実に防止することができる。
【図面の簡単な説明】
【００１０】
【図１】本発明の実施の形態１に係るＵＨＦ帯のＩＣタグ付きシールの構成を示す平面図である。
【図２】本発明の実施の形態１に係るＨＦ帯のＩＣタグ付きシールの構成を示す平面図である。
【図３】本発明の実施の形態１に係るＩＣタグ付きシールの貼り付け方法を説明するための斜視図である。
【図４】本発明の実施の形態２に係る一筆書き線部の構造を説明するための拡大図である。
【図５】本発明の変形例に係る一筆書き線部の回路パターンの一例を示す概念図である。
【図６】本発明の変形例に係る一筆書き線部の回路パターンの他の一例を示す概念図である。
【図７】本発明の変形例に係る一筆書き線部の回路パターンのさらに他の一例を示す概念図である。
【図８】本発明の変形例に係る一筆書き線部の回路パターンのさらに他の一例を示す概念図である。
【発明を実施するための形態】
【００１１】
以下、本発明の実施の形態１について図１〜３を参照しながら説明する。
［実施の形態１］
図１は本実施の形態に係るＵＨＦ帯のＩＣタグ付きシール４００の構成を示す平面図である。図１に示すように、ＵＨＦ帯のＩＣタグ付きシール４００は、ＩＣタグインレット１００と、ＩＣタグ付きシール４００の支持体となるシート状のラベル上紙４１とを備える。ＩＣタグインレット１００は、アンテナである放射素子１０と、アンテナ特性のインピーダンスマッチングを調整するためのインピーダンスマッチング調整用スリット（もしくはループ回路）１１と、一端がインピーダンスマッチング調整用スリット（もしくはループ回路）１１に接合されたＩＣチップ１２と、ＩＣチップ１２の他端に接続され、ループ状導体からなる断線検知回路１３と、放射素子１０、インピーダンスマッチング調整用スリット（もしくはループ回路）１１および断線検知回路１３の支持体となるシート状の基材１４とを備える。なお、放射素子１０とインピーダンスマッチング調整用スリット（もしくはループ回路）１１とは、リーダライタのアンテナ（未図示）と通信するためのアンテナ部を構成している。
【００１２】
また、断線検知回路１３は、メアンダ状導体からなる一筆書き線部２０を備える。一筆書き線部２０の回路パターンの一例として、メアンダ状のラインから構成された回路パターンが挙げられる。例えば、図１に示すように、一筆書き線部２０は１本のラインをＺ字形に曲げるように形成された回路パターンにより構成されている。
【００１３】
ＩＣチップ１２は一筆書き線部２０を含む断線検知回路１３の開閉、特に一筆書き線部２０の断線を検出する機能を持っている。なお、本実施の形態のＵＨＦ帯のＩＣタグ付きシール４００においては、ＩＣチップ１２はＮＸＰ  Ｓｅｍｉｃｏｎｄｕｃｔｏｒｓ社製ＵＣＯＤＥ  Ｇ２ｉＬ＋を使用したが、これに限らず、例えば、ＮＸＰ  Ｓｅｍｉｃｏｎｄｕｃｔｏｒｓ社製ＵＣＯＤＥ  Ｇ２ｉＭ＋など、アンテナ端子の他に、断線検知回路の抵抗値より断線を検知できるＩＣチップを使用してもよい。
【００１４】
図２は本実施の形態に係るＨＦ帯のＩＣタグ付きシール４００’の構成を示す平面図である。図２に示すように、ＨＦ帯のＩＣタグ付きシール４００’は、ＩＣタグインレット１００’と、ＩＣタグ付きシール４００’の支持体となるシート状のラベル上紙４１とを備える。ＩＣタグインレット１００’は、アンテナ用ループ回路１５と、一端がアンテナ用ループ回路１５に接合されたＩＣチップ１２と、ＩＣチップ１２の他端に接続され、ループ状導体からなる断線検知回路１３と、アンテナ用ループ回路１５および断線検知回路１３の支持体となるシート状の基材１４とを備える。なお、アンテナ用ループ回路１５は、リーダライタのアンテナ（未図示）と通信するためのアンテナ部を構成している。
【００１５】
また、断線検知回路１３は、メアンダ状導体からなる一筆書き線部２０を備える。一筆書き線部２０の構成は図１に示したものと同じである。
ＩＣチップ１２’は一筆書き線部２０を含む断線検知回路１３の開閉を検出する機能を持っている。なお、本実施の形態のＨＦ帯のＩＣタグ付きシール４００’においては、ＩＣチップ１２’はＮＸＰ  Ｓｅｍｉｃｏｎｄｕｃｔｏｒｓ社製ＩＣＯＤＥ  ＳＬＩＸを使用したが、これに限らない。
【００１６】
なお、図２では、断線検知回路１３を備え、一筆書き線部２０が断線検知回路１３の一部である、ＨＦ帯のＩＣタグ付きシール４００’が開示されたが、断線検知回路１３を有しなく、アンテナ用ループ回路１５の一部により一筆書き線部を形成してもよい。即ち、一筆書き線部はアンテナ部の一部であってもよい。この場合、ＩＣチップはアンテナ用端子と、回路開閉を検知するための端子を持つものだけではなくて、１対のアンテナ端子のみをもつものを使用することも可能である。ＩＣチップはアンテナ部を介して通信できるかどうかに基づいて、一筆書き線部の断線を検出している。
【００１７】
次ぎ、本実施の形態のＩＣタグ付きシールの貼り付け方法を説明する。
図３は本実施の形態に係るＩＣタグ付きシール４００の貼り付け方法を説明するための斜視図である。図３に示すように、蓋付き容器６００は、コルクである蓋６１０と、容器本体６２０とからなる、例えばワインボトルなどの酒瓶である。ＩＣタグ付きシール４００を、一筆書き線部２０が蓋６１０の上面に貼り付けられるように、蓋付き容器６００に貼り付ける。
【００１８】
また、図３は、一筆書き線部２０が蓋の上面の全面を覆いかぶさるように貼り付けられている場合を開示したが、これに限らない。例えば、不透明なラベル上紙によりＩＣタグインレットが隠れる場合に、一筆書き線部の具体的な位置が分からないため、一筆書き線部を避けて針を挿すことは困難である。よって、一筆書き線部が蓋の上面の一部のみを覆うように貼り付けられてもよい。
【００１９】
本実施の形態の構成によれば、例えば針などの道具をコルクなどの蓋の上面に挿すと、一筆書き線部２０が断線し、ＩＣチップ１２が上記一筆書き線部２０の断線を検出して、不正な針の形跡を検知することができ、コルクに針を挿して不正に中身を入れ替えることを確実に防止することができる。
【００２０】
なお、本実施の形態においては、蓋付き容器の一例としてコルク栓タイプのワインなどの酒瓶を挙げて説明したが、本発明のＩＣタグ付きシールはこれに限らず、例えば薄いアルミ蓋などの蓋が付いた容器など、上面から針を挿しやすい蓋付き容器に適用することも可能である。
【００２１】
以下、本発明の実施の形態２について図４を参照しながら説明する。
［実施の形態２］
図４は本実施の形態に係る一筆書き線部の構造を説明するための拡大図であり、図１、２の領域Ｑに対応する拡大図である。
【００２２】
一筆書き線部２０は１本のライン５０がメアンダ状に曲げされて形成されたものである。図４に示すように、例えば、一筆書き線部２０を構成する隣り合う２本のライン５０の幅をそれぞれａ及びａ’とし、上記２本のライン５０同士の間隙５１の幅をｂとし、針６２の直径をｃとする場合には、針６２を挿す時に一筆書き線部２０のライン５０を確実に断線させるために、２本のライン５０の幅ａ＋ａ’とライン５０の間の距離ｂとの合計は、針６２の直径ｃ以下である必要があり、即ち、ａ＋ａ’＋ｂ≦ｃを満たす必要がある。上記構成の具体例として、２本のライン５０の幅ａ＋ａ’とライン５０の間の距離ｂとの合計ａ＋ａ’＋ｂは、０．２２５ｍｍ〜３ｍｍに設けられる。なお、上記２本のライン５０の幅であるａとａ’は同じでも良いし、異なるでも良い。
【００２３】
本実施の形態の構成によれば、径が小さい針の挿す位置がわずかにずれても、ライン５０が確実に断線することができ、細い針で不正に中身を入れ替えることをさらに確実に防止することができる。
【００２４】
以下、本発明の変形例について図５、６を参照しながら説明する。
［変形例］
メアンダ状のラインから構成される一筆書き線部の回路パターンの一例として、上記実施の形態１は１本のラインをＺ字形に曲げるように形成された回路パターンを挙げたが、これに限らず、例えば、下記図５、６のような回路パターンを採用しても良い。
【００２５】
図５は本変形例に係る一筆書き線部２０の回路パターン２００の一例を示す概念図である。図５に示すように、回路パターン２００は、２本の巻回ライン２１０、２２０を同方向に平行に巻回し、それらの巻回軸側の一端を接続ライン２３０にて接続することにより構成されている。
【００２６】
また、一筆書き線部２０の回路パターンの他の一例として、図６に示すように、図５と同形状の回路パターンを２個接続することにより構成されても良い。
なお、メアンダ状のラインのほか、図７、８のような螺旋状のラインから一筆書き線部２０を構成してもよい。
【００２７】
図７は本変形例に係る一筆書き線部２０の回路パターン２００のさらに他の一例を示す概念図である。図７に示すように、回路パターン２００は、１本の巻回ライン２００により構成されている。巻回ライン２００は、螺旋部３１０と、螺旋部３１０の内周端部から引き出された内周引き出し線３２０と、螺旋部３１０の外周端部から引き出された外周引き出し線３３０と、を備えている。
【００２８】
回路パターン２００が両面単層基板に形成される場合には、例えば、内周引き出し線３２０が基板の裏面に配置され、外周引き出し線３３０及び螺旋部３１０が基板の表面に配置されている。即ち、一筆書き線部２０は、1本の巻回ラインが両面単層基板の表裏面に跨って螺旋状に巻回された回路パターン２００により構成されている。
【００２９】
また、回路パターン２００が多層基板に形成される場合には、例えば、内周引き出し線３２０が基板の一層に配置され、外周引き出し線３３０及び螺旋部３１０が基板の他の層に配置されている。なお、外周引き出し線３３０と螺旋部３１０とをさらに異なる層に配置してもよい。即ち、一筆書き線部２０は、1本の巻回ラインが多層基板の異なる層に跨って螺旋状に巻回された回路パターン２００により構成されている。
【００３０】
また、一筆書き線部２０の回路パターンのさらに他の一例として、図８に示すように、回路パターン２００が片面単層基板の一面に形成される場合には、内周引き出し線３２０と螺旋部３１０との間に絶縁層が配置されればよい。
【００３１】
なお、上記それらの変形例の回路パターンも、隣り合う２本のラインの幅と、前記２本のラインの間の距離との合計を０.２２５ｍｍ〜３ｍｍに設けることが好ましい。
なお、上記説明において、本発明の蓋付き容器の一例として、コルク付酒瓶を挙げたが、これに限らず、飲料瓶や液体調味料瓶なども当てはまる。
【００３２】
以上、本発明の実施の形態及び変形例について説明したが、発明の要旨を逸脱しない範囲で、種々の省略、置き換え、変更を行うことができる。
【符号の説明】
【００３３】
１０  放射素子、１１  インピーダンスマッチング調整用スリット（もしくはループ回路）、１２  ＩＣチップ、１３  断線検知回路、１４  基材、１５  アンテナ用ループ回路、２０  一筆書き線部、４１  ラベル上紙、５０  ライン、５１  間隙、６２  針、１００、１００’  ＩＣタグインレット、２００  回路パターン、２１０、２２０  巻回ライン、２３０  接続ライン、３１０  螺旋部、３２０  内周引き出し線、３３０  外周引き出し線、４００、４００’  ＩＣタグ付きシール、６００  蓋付き容器、６１０  蓋、６２０  容器本体。
【図１】
2018532179.tif 000003
【図２】
2018532179.tif 000004
【図３】
2018532179.tif 000005
【図４】
2018532179.tif 000006
【図５】
2018532179.tif 000007
【図６】
2018532179.tif 000008
【図７】
2018532179.tif 000009
【図８】
2018532179.tif 000010
【国際調査報告】
2018532179.tif 000011
2018532179.tif 000012
2018532179.tif 000013
2018532179.tif 000014